(57)【要約】【課題】水平姿勢に落とし込まれて使用されるテーブルの使用状態を安定させられるようにする。【解決手段】テーブル移動装置１０Ｍは、テーブル本体１１を支持台に連結された支持アーム１２に対して、退避位置と使用位置との間で起倒回転させられる状態に連結し、テーブル本体１１と支持アーム１２との間に上記起倒回転に追従して動く従動部材１４を有する。従動部材１４は、テーブル本体１１に回転可能に連結され、支持アーム１２にスライダ１４Ｃを介してスライド可能に連結されて、テーブル本体１１の使用位置状態ではスライダ１４Ｃの凹部１４Ｃ１が支持台の凸部４Ａ３に位置合わせされた状態となり、テーブル本体１１にかけられる押下方向の負荷に対して支持アーム１２が支持台に対する支持点まわりに根元側領域を持ち上げるように回転して上記凹部１４Ｃ１を凸部４Ａ３に嵌合させ、テーブル本体１１の退避位置に向けての移動を規制する。【選択図】図１５
2015217782.tif 000002
【特許請求の範囲】
【請求項１】
乗物用テーブルであって、
物載せとなるテーブル本体と、
該テーブル本体をベースに対して動かせる状態に連結するテーブル移動装置と、を有し、
前記テーブル移動装置は、前記テーブル本体を前記ベースに連結された支持アームに対して、所定の退避角度まで起こし上げた退避位置と、物載せとして使用可能な水平角度まで落とし込んだ使用位置と、の間で起倒回転させられる状態に連結すると共に、前記テーブル本体と前記支持アームとの間に前記テーブル本体の起倒回転する動きに追従して動く従動部材を有した構成となっており、
前記従動部材は、前記テーブル本体に回転可能に連結され、前記支持アームにスライダを介してスライド可能に連結された状態として、前記テーブル本体が前記使用位置に到達することにより前記スライダと前記ベースとの間に形成された圧着構造が互いに圧着可能に位置合わせされた状態となり、前記テーブル本体のどの領域部に押下方向の負荷がかけられても前記支持アームが前記ベースによって支えられた支持点まわりに根元側領域を持ち上げるように作用力を受けて前記圧着構造が圧着し、前記テーブル本体の前記退避位置に向けての回転移動を規制するようになっていることを特徴とする乗物用テーブル。
【発明の詳細な説明】
【技術分野】
【０００１】
本発明は、乗物用テーブルに関する。詳しくは、乗物用シートの着座者に供される乗物用テーブルに関する。
【背景技術】
【０００２】
従来、乗物用シートにおいて、物載せとなるテーブルが展開・収納可能に設けられた技術が知られている（特許文献１）。上記テーブルは、乗物用シートの側部のアームレストに対して回転可能に連結されており、着座者の前部に展開された使用位置と、同使用位置から横向きに跳ね上げてアームレストの外側面に重なる位置まで落とし込まれた収納位置と、の間で展開・収納できるようになっている。
【先行技術文献】
【特許文献】
【０００３】
【特許文献１】特開平９−７０３３４号公報
【発明の概要】
【発明が解決しようとする課題】
【０００４】
上記従来技術では、テーブルが使用位置に落とし込まれた状態で高さ方向にバタつける構成となっているため、使用性が悪い。本発明は、上述した問題を解決するものとして創案されたものであって、本発明が解決しようとする課題は、水平姿勢に落とし込まれて使用されるテーブルの使用状態を安定させられるようにすることにある。
【課題を解決するための手段】
【０００５】
上記課題を解決するために、本発明の乗物用テーブルは次の手段をとる。
【０００６】
第１の発明は、乗物用テーブルであって、物載せとなるテーブル本体と、テーブル本体をベースに対して動かせる状態に連結するテーブル移動装置と、を有する。テーブル移動装置は、テーブル本体をベースに連結された支持アームに対して、所定の退避角度まで起こし上げた退避位置と、物載せとして使用可能な水平角度まで落とし込んだ使用位置と、の間で起倒回転させられる状態に連結すると共に、テーブル本体と支持アームとの間にテーブル本体の起倒回転する動きに追従して動く従動部材を有した構成となっている。従動部材は、テーブル本体に回転可能に連結され、支持アームにスライダを介してスライド可能に連結された状態として、テーブル本体が使用位置に到達することによりスライダとベースとの間に形成された圧着構造が互いに圧着可能に位置合わせされた状態となり、テーブル本体のどの領域部に押下方向の負荷がかけられても支持アームがベースによって支えられた支持点まわりに根元側領域を持ち上げるように作用力を受けて圧着構造が圧着し、テーブル本体の退避位置に向けての回転移動を規制するようになっている。
【０００７】
この第１の発明によれば、テーブル本体は、使用位置に落とし込まれた状態では、そのどの領域に押下方向の荷重がかけられても、圧着によりスライドがロックされた従動部材の支（つか）えによって、支持アームとの連結点まわりに退避位置に向けて跳ね上げられてしまうことがなく、使用位置に安定して保持される。一方で、テーブル本体は、上記使用位置から退避位置に向かって持ち上げられる時には、従動部材のスライドのロックはかからないため、退避位置へスムーズに持ち上げることができる。
【図面の簡単な説明】
【０００８】
【図１】実施例１のテーブルが使用位置に展開された状態を示す斜視図である。
【図２】同正面図である。
【図３】図２の要部拡大図である。
【図４】テーブルの収納状態を示す斜視図である。
【図５】同正面図である。
【図６】同側面図である。
【図７】テーブルが収納位置から上方側に引き上げられた状態を示す斜視図である。
【図８】同正面図である。
【図９】テーブルが斜めの展開位置まで倒し込まれた状態を示す斜視図である。
【図１０】同正面図である。
【図１１】テーブルが上記斜めの展開位置から使用位置に倒し込まれた状態を示す斜視図である。
【図１２】同正面図である。
【図１３】テーブルが使用位置に展開された状態で中央領域に押下方向の負荷を受けた時の状態を示す正面図である。
【図１４】テーブルが使用位置に展開された状態で端側の領域に押下方向の負荷を受けた時の状態を示す正面図である。
【図１５】テーブルにかけられた押下方向の負荷によってスライダの動きが止められた状態を示す要部拡大図である。
【図１６】テーブルを使用位置から引き上げた状態を示す正面図である。
【発明を実施するための形態】
【０００９】
以下に、本発明を実施するための形態について、図面を用いて説明する。
【実施例１】
【００１０】
始めに、実施例１のテーブル１０の構成について、図１〜図１６を用いて説明する。本実施例のテーブル１０は、図１〜図６に示すように、自動車のシート１に展開・収納可能に備えられた構成となっている。ここで、上記シート１は、着座者の背凭れとなるシートバック２と、着座部となるシートクッション３と、を有し、シートクッション３の左右両側部に上方側に立壁上に延びる支持台４を備えた構成となっている。上記各支持台４は、その上面部がアームレスト５となっており、着座者が肘掛けとして利用することができるようになっている。
【００１１】
上述したテーブル１０は、物載せとなるテーブル本体１１と、テーブル本体１１を上述したシート１の左側部に設けられた支持台４に対して動かせる状態に連結するテーブル移動装置１０Ｍと、を備えた構成となっている。ここで、上記シート１の左側部に設けられた支持台４が本発明の「ベース」に相当する。具体的には、上述したテーブル移動装置１０Ｍは、テーブル本体１１を、支持台４の内部に収納した収納位置（図４〜図６に示す位置）と、着座者の前部に水平姿勢の状態に展開させた使用位置（図１〜図３に示す位置）と、の間で移動させることができるようになっている。ここで、上述したテーブル本体１１を収納するシート１の左側部に設けられた支持台４の上面部のアームレスト５は、テーブル本体１１の展開収納時に外側に開けられて支持台４の内部空間を上方側に開口させた状態とできるように、支持台４の上面部に開閉可能にヒンジ連結された状態となっている。
【００１２】
上述したテーブル移動装置１０Ｍは、図１〜図３に示すように、テーブル本体１１を支持台４に対して支持する支持アーム１２と、支持アーム１２を支持台４に対して高さ方向にスライドさせられる状態に連結する摺動部材１３と、テーブル本体１１を支持アーム１２に対して起倒回転させる動きに追従して動く従動部材１４と、を有する。上述した摺動部材１３は、図４〜図６及び図７〜図８に示すように、支持台４の内部に設けられたガイドレール４Ａに対して高さ方向にのみ移動可能となるように組み付けられた状態とされている。
【００１３】
具体的には、上述した摺動部材１３は、その前後に立板状に張り出す各嵌合部１３Ａが、支持台４内部の摺動部材１３の前後位置に設けられた高さ方向に延びる各ガイドレール４Ａのレール溝４Ａ１内にそれぞれ嵌め込まれていることにより、各レール溝４Ａ１の形状に沿って高さ方向にのみ移動可能となるようにガイドされて組み付けられた状態とされている。上記摺動部材１３は、図７〜図８に示すように、上述した各レール溝４Ａ１内をスライドする各嵌合部１３Ａが、各レール溝４Ａ１の上端面に当たることで、その上方側へのスライドが係止されるようになっている。
【００１４】
支持アーム１２は、テーブル本体１１より前後方向の板幅の狭い中空板状の平板部材によって構成されており、その下端部の前後側の箇所が上述した摺動部材１３の上部に対して、それぞれシート前後方向に軸方向を向ける回転軸１２Ａにより回転可能に連結された状態とされている。これにより、支持アーム１２は、図４〜図６及び図７〜図８に示すように、上述した摺動部材１３上に対して、真っ直ぐ上方側に起立して、支持台４に対して高さ方向に出し入れ可能な状態となったり、図９〜図１０に示すように、回転軸１２Ａを中心にシート内側に倒されて支持台４からシート内側に張り出した状態となったりすることができる構成とされている。
【００１５】
上述した支持アーム１２は、詳しくは、図７〜図８に示すように、上述した摺動部材１３が支持台４の内部において上方側への移動が係止される位置まで移動されることにより、図９〜図１０に示すように、支持台４のシート内側部に形成された開口部４Ｂからシート内側に張り出す形で倒し込むことができるようになっている。上記支持アーム１２は、摺動部材１３が上記より低い位置までしか引き上げられていない状態では、上記のような倒し込みを行おうとしても、支持台４の内部側壁４Ｃに当たってしまい、倒し込みが行えないようになっている。
【００１６】
上記支持アーム１２は、上記図９〜図１０に示した状態まで倒し込まれることにより、その根元側となる下端部のシート内側面部に突出形成されたストッパ片１２Ｄが支持台４の内部側壁４Ｃの上面部に形成されたストッパ面４Ｃ１に当たり、その傾倒が係止されるようになっている。上述したストッパ片１２Ｄは、上述した支持台４の内部側壁４Ｃの上面部に形成されたストッパ面４Ｃ１に対して、高さ方向に真っ直ぐに面を当接させるようになっている。上記面当接によって、上述した支持アーム１２に連結された摺動部材１３の下方側への移動が係止された状態に留められると共に、テーブル本体１１から支持アーム１２にかけられる負荷が受け止められるようになっている。
【００１７】
テーブル本体１１は、図１〜図３に示すように、平板状の部材によって構成されており、その裏面側の中間部に、上述した支持アーム１２の上端部がシート前後方向に軸方向を向ける回転軸１２Ｂによって回転可能に連結された状態とされている。これにより、テーブル本体１１は、上述した支持アーム１２に対して回転軸１２Ｂを中心に首振り運動することができる状態とされている。具体的には、上述したテーブル本体１１は、図９〜図１０に示すように、上述した支持アーム１２が支持台４の内部から引き出されてシート内側に斜めに倒し込まれた状態において、支持アーム１２の上に形状を重ねた斜めの退避位置と、図１１〜図１２に示すように、上記退避位置から下方側に水平角度まで落とし込まれた使用位置と、の間で支持アーム１２に対して首振り運動により起倒回転させられるようになっている。
【００１８】
上述したテーブル本体１１は、図９〜図１０に示すように、上述した支持アーム１２の上に形状を重ねた退避位置の状態で、図７〜図８に示すように、支持アーム１２と共に摺動部材１３の上部に真っ直ぐ上方側に起立した状態に畳まれたり、図４〜図６に示すように、支持アーム１２と共に支持台４の内部に落とし込まれて収納されたりするようになっている。また、上記テーブル本体１１は、上記支持台４の内部に収納された状態から、アームレスト５を外側に開いて、その内部に露呈するテーブル本体１１を上方側へ引き上げることにより、図７〜図８に示すように、支持アーム１２と共に摺動部材１３を上方側へスライドさせながら支持台４の上部に引き出される。そして、テーブル本体１１は、上記支持台４の上部に引き出された後に、支持アーム１２と共に摺動部材１３に対してシート内側に倒し込むように回転させることにより、図９〜図１０に示すように、支持アーム１２と共にシート内側に斜め上がりに傾斜した姿勢状態に展開される。
【００１９】
そして、上記テーブル本体１１は、上記斜めの角度に展開されることにより、自重によって支持アーム１２との回転軸１２Ｂを中心に水平角度まで落とし込まれて係止された状態となる（図１１〜図１２）。ここで、上記テーブル本体１１と支持アーム１２とを連結する回転軸１２Ｂは、テーブル本体１１の横幅方向（回転半径方向）の中央部よりシート外側寄りの位置に設定されている。このように設定されていることにより、テーブル本体１１は、上記支持アーム１２と共に図９〜図１０に示す斜めの角度まで展開されることにより、自重によって自然と水平姿勢の使用位置まで落とし込まれるようになっている。また、上記設定により、テーブル本体１１は、上記水平姿勢の使用位置に落とし込まれた状態においても、その自重作用により、退避位置へ跳ね上げられにくい状態に保たれやすい構成とされている。
【００２０】
また、上記テーブル本体１１は、上記水平姿勢の使用位置に落とし込まれることにより、従動部材１４がこの動きに追従して支持アーム１２に引掛けられた状態となり、使用位置から退避位置に向けての跳ね上がり移動が起こりにくい状態に保持されるようになっている。具体的には、上記従動部材１４は、図９〜図１２に示すように、支持アーム１２の前側部と後側部とに位置する前後一対のリンク部材によって構成されている。上記従動部材１４は、上記一対のリンク部材の各上端部が、テーブル本体１１の横幅方向（回転半径方向）のシート外側の端部の裏面部に対して、シート前後方向に軸方向を向ける回転軸１４Ａにより回転可能に連結された状態とされている。
【００２１】
また、従動部材１４は、上記一対のリンク部材の各下端部が、支持アーム１２の中空内部にスライド可能な状態に嵌め込まれたスライダ１４Ｃに対して、それぞれ、シート前後方向に軸方向を向ける回転軸１４Ｂにより回転可能に連結された状態とされている。詳しくは、上記従動部材１４を構成する各リンク部材の下端部は、支持アーム１２の前後側の各面部に貫通形成されたリンク長方向（横幅方向）に延びる長孔形状のガイド孔１２Ｃから露呈するスライダ１４Ｃの前後側の各面部に対して、それぞれ上述した回転軸１４Ｂにより回転可能に連結された状態とされている。これにより、従動部材１４は、テーブル本体１１が支持アーム１２に対して図９〜図１０で前述した退避位置と図１１〜図１２で前述した使用位置との間で起倒回転する動きに伴って、テーブル本体１１に対して回転軸１４Ａのまわりに回転しながら、スライダ１４Ｃを支持アーム１２に対してスライドさせて回転軸１４Ｂをガイド孔１２Ｃに沿ってスライドさせる態様で移動するようになっている。
【００２２】
具体的には、上記従動部材１４は、図９〜図１０に示したテーブル本体１１が支持アーム１２に形状を重ねた退避位置の状態にある時には、テーブル本体１１と面一状となるように支持アーム１２に対して倒伏した姿勢状態とされるようになっている。そして、上記従動部材１４は、図１１〜図１２に示すようにテーブル本体１１が水平姿勢の使用位置に落とし込まれる動きに伴って、支持アーム１２に対する姿勢を起立させていくようになっている。
【００２３】
そして、上記従動部材１４は、上記テーブル本体１１が水平姿勢の使用位置に落とし込まれる移動によって、ガイド孔１２Ｃ内をスライドする回転軸１４Ｂが、ガイド孔１２Ｃの端部（上端部）に到達して、テーブル本体１１のそれ以上の落とし込み方向の移動を規制した状態となる。更に、上記従動部材１４は、図１５に示すように、上記ガイド孔１２Ｃ内をスライドする回転軸１４Ｂがガイド孔１２Ｃの端部（上端部）に到達すると同時に、スライダ１４Ｃの根元側領域の上面部位に形成された凹部１４Ｃ１が、支持台４内部の各ガイドレール４Ａの上面部間に架け渡された架橋板４Ａ２に下方側に突出して形成された凸部４Ａ３と高さ方向に嵌合可能に位置合わせされた状態とされるようになっている。これにより、従動部材１４は、上記スライダ１４Ｃを介して、テーブル本体１１を水平姿勢の使用位置に落とし込んだ状態に保持することができるようになっている。ここで、上述したスライダ１４Ｃの上面部位に形成された凹部１４Ｃ１が架橋板４Ａ２の凸部４Ａ３に嵌合する構造が、本発明の「圧着構造」に相当する。
【００２４】
具体的に説明すると、上述したスライダ１４Ｃを内部にスライド可能に支持する支持アーム１２は、中空板状の形に形成されており、その内部でスライダ１４Ｃをガイド孔１２Ｃの延びる長手方向にスライドさせられるように支持している。上記スライダ１４Ｃは、そのガイド孔１２Ｃから露呈する領域部の前後側の各面部に上述した従動部材１４の下端部が回転軸１４Ｂによって回転可能に連結されており、図１２に示すように、テーブル本体１１が支持アーム１２に対して起倒回転する動きに伴って、支持アーム１２の中空内部をスライドするようになっている。上記スライダ１４Ｃは、図１６に示すように、テーブル本体１１が支持アーム１２と形状を重ねる退避位置まで起こし上げられた状態では、支持アーム１２から形状を外側に長く延出させ、図１２に示すように、テーブル本体１１が支持アーム１２から水平姿勢の使用位置まで落とし込まれる動きに伴って、上記支持アーム１２から外側に延出させた部位を支持アーム１２内に引き込ませるようにスライドするようになっている。
【００２５】
そして、上記テーブル本体１１を水平姿勢の使用位置に落とし込む移動により、スライダ１４Ｃは、その根元側領域の上面部位に形成された凹部１４Ｃ１が、各ガイドレール４Ａの上面部間に架け渡された架橋板４Ａ２に下方側に突出して形成された凸部４Ａ３と高さ方向に嵌合可能となるようにスライド方向に位置合わせされた状態となる。したがって、この状態で、図１３に示すように、テーブル本体１１の支持アーム１２と連結された回転軸１２Ｂより図示左側の広い横幅領域１１Ａに押下方向の荷重Ｐ１がかけられても、テーブル本体１１は、上述した従動部材１４の下端部とスライダ１４Ｃとを連結している回転軸１４Ｂが支持アーム１２のガイド孔１２Ｃの端部（上端部）に当たって支（つか）えることにより、水平姿勢から更に押し下げられる方向の移動が規制されるようになっている。
【００２６】
詳しくは、上述したテーブル本体１１は、上述した押下方向の荷重Ｐ１によって支持アーム１２に押下方向の荷重を伝えても、支持アーム１２が上述したストッパ片１２Ｄを支持台４内部の内部側壁４Ｃの上面部のストッパ面４Ｃ１に当接させている支持力によって、支持アーム１２を押下方向にほとんど回転させることなく水平姿勢の使用位置に保持することができるようになっている。より詳しくは、上記支持アーム１２は、これを支える摺動部材１３がその嵌合部１３Ａを各ガイドレール４Ａのレール溝４Ａ１の上端部に当接させる位置まで上方側にスライドさせることができるようになっていることにより、多少は高さ方向にガタ付ける状態でテーブル本体１１を支えた状態とされている。しかし、支持アーム１２は、上記テーブル本体１１に押下方向の荷重Ｐ１が入力された時には、上述したストッパ片１２Ｄが上述したストッパ面４Ｃ１に当接している当接点を支点に僅かに図示反時計回り方向にガタ付き回転するものの、このガタ付き回転は、支持アーム１２から図示右側に延び出しているスライダ１４Ｃの延出領域が持ち上げられる方向に回転して上述した架橋板４Ａ２に当接することによって係止されるようになっている。
【００２７】
また、テーブル本体１１は、図１４に示すように、その支持アーム１２と連結された回転軸１２Ｂより図示右側の狭い横幅領域１１Ｂに押下方向の荷重Ｐ２がかけられても、この荷重Ｐ２の作用によって上述したスライダ１４Ｃの凹部１４Ｃ１が上述した架橋板４Ａ２に突出形成された凸部４Ａ３に嵌まり込むことにより、その支持アーム１２と連結された回転軸１２Ｂまわりに水平姿勢から跳ね上げられる方向の移動も規制されるようになっている。具体的には、上記テーブル本体１１の図示右側の狭い横幅領域１１Ｂに押下方向の荷重Ｐ２がかけられると、支持アーム１２には、その根元側のストッパ片１２Ｄが当接して支えられている支持台４内部のストッパ面４Ｃ１との当接点（支持点）まわりに図示反時計回り方向に押し下げられる重力方向の負荷がかけられる。
【００２８】
この負荷作用により、支持アーム１２は、図１５に示すように、上述したストッパ片１２Ｄとストッパ面４Ｃ１との当接点を支点として、その図示右側に延び出しているスライダ１４Ｃの延出領域を持ち上げるように回転させて、スライダ１４Ｃの凹部１４Ｃ１を架橋板４Ａ２の凸部４Ａ３に下方側から嵌合させた状態となる。これにより、上記負荷のかけられた状態では、スライダ１４Ｃが支持アーム１２に対して常時、スライドすることができない状態にロックされて、テーブル本体１１が従動部材１４を支（つか）えに水平姿勢の使用位置から跳ね上げられない状態に保持されるようになっている。
【００２９】
上記従動部材１４によるテーブル本体１１の使用位置でのロック状態は、図１６に示すように、使用者がテーブル本体１１を支持アーム１２と連結された回転軸１２Ｂより図示左側の領域部を上方側に持ち上げるように操作することにより簡単に解除することができる。具体的には、上述したテーブル本体１１は、上記のような負荷を受けて回転するときには、支持アーム１２に対して重力方向の負荷をかけないようになっており、そのため、スライダ１４Ｃ（の凹部１４Ｃ１）を架橋板４Ａ２の凸部４Ａ３に嵌合させることなく従動部材１４をテーブル本体１１の動きに追従させて退避位置まで移動させることができるようになっている。以上のように、テーブル本体１１を使用位置から持ち上げるだけの簡単な操作によって、テーブル本体１１を支持アーム１２と形状を重ねた斜めの退避位置に移動させることができる。
【００３０】
以上をまとめると、本実施例のテーブル１０は次のような構成となっている。すなわち、本実施例のテーブル１０は、物載せとなるテーブル本体１１と、テーブル本体１１をベース（支持台４）に対して動かせる状態に連結するテーブル移動装置１０Ｍと、を有する。テーブル移動装置１０Ｍは、テーブル本体１１をベース（支持台４）に連結された支持アーム１２に対して、所定の退避角度まで起こし上げた退避位置と、物載せとして使用可能な水平角度まで落とし込んだ使用位置と、の間で起倒回転させられる状態に連結すると共に、テーブル本体１１と支持アーム１２との間にテーブル本体１１の起倒回転する動きに追従して動く従動部材１４を有した構成となっている。
【００３１】
従動部材１４は、テーブル本体１１に回転可能に連結され、支持アーム１２にスライダ１４Ｃを介してスライド可能に連結された状態として、テーブル本体１１が使用位置に到達することによりスライダ１４Ｃとベース（支持台４）との間に形成された圧着構造（スライダ１４Ｃの凹部１４Ｃ１が架橋板４Ａ２の凸部４Ａ３に嵌合する構造）が互いに圧着可能（嵌合可能）に位置合わせされた状態となって、テーブル本体１１のどの領域に押下方向の負荷がかけられても支持アーム１２がベース（支持台４）によって支えられた支持点（ストッパ片１２Ｄとストッパ面４Ｃ１との当接点）まわりに根元側領域を持ち上げるように作用力を受けて、上記圧着構造（スライダ１４Ｃの凹部１４Ｃ１が架橋板４Ａ２の凸部４Ａ３に嵌合する構造）が圧着（嵌合）し、テーブル本体１１の退避位置に向けての回転移動を規制するようになっている。
【００３２】
このような構成となっていることにより、テーブル本体１１は、使用位置に落とし込まれた状態では、そのどの領域に押下方向の荷重（Ｐ１，Ｐ２）がかけられても、圧着（嵌合）によりスライドがロックされた従動部材１４の支（つか）えによって、支持アーム１２との連結点まわりに退避位置に向けて跳ね上げられてしまうことがなく、使用位置に安定して保持される。一方で、テーブル本体１１は、上記使用位置から退避位置に向かって持ち上げられる時には、従動部材１４のスライドのロックはかからないため、退避位置へスムーズに持ち上げることができる。
【００３３】
以上、本発明の実施形態を１つの実施例を用いて説明したが、本発明は上記実施例のほか各種の形態で実施することができるものである。例えば、テーブル本体の退避位置は、斜めの角度位置でなくてもよく、垂直な角度位置やその他の角度位置であってもよい。また、テーブル本体の展開・収納の形態は、上記実施例１で示した形態に限定されず、種々の形態を適用可能である。例えば、テーブル本体をベースに対してスライドではなく回転により展開・収納するものや、高さ方向にではなく水平方向に展開・収納するものなどが挙げられる。また、テーブル移動装置は、テーブル本体を必ずしもベースの内部に収納するものでなくてもよく、テーブル本体をベースに対して動かせる状態に連結するものとなっていればよい。
【００３４】
スライダとベースとの間に形成される圧着構造は、上記実施例で示したような凹凸の嵌合構造に限らず、圧着により摺動摩擦を増大させてスライダの移動を規制するもの等、圧着によりスライダの移動を規制することができる構造となっているものであれば何でもよい。また、上記圧着構造を凹凸の嵌合構造によって構成する場合、スライダに凸部が形成され、ベースに凹部が形成される構成であってもよい。
【符号の説明】
【００３５】
１      シート
２      シートバック
３      シートクッション
４      支持台（ベース）
４Ａ    ガイドレール
４Ａ１  レール溝
４Ａ２  架橋板
４Ａ３  凸部（圧着構造）
４Ｂ    開口部
４Ｃ    内部側壁
４Ｃ１  ストッパ面
５      アームレスト
１０    テーブル
１０Ｍ  テーブル移動装置
１１    テーブル本体
１１Ａ  横幅領域
１１Ｂ  横幅領域
１２    支持アーム
１２Ａ  回転軸
１２Ｂ  回転軸
１２Ｃ  ガイド孔
１２Ｄ  ストッパ片
１３    摺動部材
１３Ａ  嵌合部
１４    従動部材
１４Ａ  回転軸
１４Ｂ  回転軸
１４Ｃ  スライダ
１４Ｃ１  凹部（圧着構造）
Ｐ１，Ｐ２  荷重
【図１】
2015217782.tif 000003
【図２】
2015217782.tif 000004
【図３】
2015217782.tif 000005
【図４】
2015217782.tif 000006
【図５】
2015217782.tif 000007
【図６】
2015217782.tif 000008
【図７】
2015217782.tif 000009
【図８】
2015217782.tif 000010
【図９】
2015217782.tif 000011
【図１０】
2015217782.tif 000012
【図１１】
2015217782.tif 000013
【図１２】
2015217782.tif 000014
【図１３】
2015217782.tif 000015
【図１４】
2015217782.tif 000016
【図１５】
2015217782.tif 000017
【図１６】
2015217782.tif 000018